【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
所定の情報発信装置から無線通信を介して送信されるユーザ通知情報を中継する中継装置に、自装置の休止時間に関する情報およびキャリアセンス回数に関する情報を要求するための要求情報を送信する送信部と、
前記ユーザ通知情報と、前記要求情報を前記中継装置が受信するに応じて前記中継装置から返信される応答情報であって、前記休止時間を示す情報および前記キャリアセンス回数を示す情報を含む応答情報とを受信する受信部と、
前記受信部が前記応答情報を受信した場合に、前記応答情報に含まれる前記休止時間の間、自装置を休止状態にさせる休止状態調整部と、
前記休止状態の間の所定のタイミングで前記休止状態を中断することにより、前記休止状態中に前記キャリアセンス回数分のキャリアセンスを実行するキャリアセンス調整部と、
前記キャリアセンスを実行している間に前記受信部が前記ユーザ通知情報を受信した場合に、受信した前記ユーザ通知情報を通知する通知部と、を備える、
ことを特徴とする無線通信端末。
【請求項２】
前記休止状態調整部は、
前記応答情報に含まれる前記休止時間および前記キャリアセンス回数を用いて前記休止状態を中断するまでの時間を求め、
前記キャリアセンス調整部は、前記休止状態を中断するまでの時間が経過する毎に前記キャリアセンスを実行する、
請求項１に記載の無線通信端末。
【請求項３】
前記受信部は、前記ユーザ通知情報を受信した場合、前記ユーザ通知情報に含まれる識別情報と前記自装置の前記識別情報とを比較し、両者が一致しない場合に、受信した前記ユーザ通知情報を破棄する、
請求項１又は請求項２に記載の無線通信端末。
【請求項４】
前記ユーザ通知情報には、当該ユーザ通知情報の重要度を示す情報が付与されており、
前記通知部は、前記重要度に応じて前記ユーザ通知情報の通知方法を制御する、
請求項１乃至請求項３のいずれか１項に記載の無線通信端末。
【請求項５】
前記休止状態調整部は、前記重要度に応じて前記休止時間を調整し、
前記キャリアセンス調整部は、前記重要度に応じて前記キャリアセンス回数を調整する、
請求項４に記載の無線通信端末。
【請求項６】
前記送信部は、前記要求情報を送信してから一定時間内に前記応答情報を受信しなかった場合、予め定められた時間休止状態となった後、前記要求情報を前記中継装置に再送する、
請求項１乃至請求項５のいずれか１項に記載の無線通信端末。
【請求項７】
前記送信部が、前記要求情報を送信してから前記応答情報を受信するまでに、前記ユーザ通知情報を受信した場合、
前記通知部は前記ユーザ通知情報を通知し、
前記休止状態調整部は、前記受信部が前記ユーザ通知情報を受信してから前記通知部が前記ユーザ通知情報を通知するまでに、前記自装置を休止状態にさせない、
請求項１乃至請求項６のいずれか１項に記載の無線通信端末。
【請求項８】
前記要求情報には、前記自装置の識別情報および稼動時間が含まれ、
前記中継装置は、前記識別情報および前記稼働時間を用いて前記休止時間および前記キャリアセンス回数を特定する、
請求項１乃至請求項７のいずれか１項に記載の無線通信端末。
【請求項９】
前記ユーザ通知情報はリコール情報である、
請求項１乃至請求項８のいずれか１項に記載の無線通信端末。
【請求項１０】
無線通信を介して接続される各無線通信端末の識別情報および稼動時間に対応させて、各無線通信端末の休止時間およびキャリアセンス回数を記録した休止テーブルを記憶部する記憶部と、
無線通信を介して接続される所定の無線通信端末から、前記所定の無線通信端末の識別情報および前記無線通信端末の稼動時間に関する情報を含む要求情報を受信し、且つ、無線通信を介して接続される所定の情報発信装置から、前記所定の無線通信端末に通知するためのユーザ通知情報を受信する受信部と、
前記要求情報に含まれる前記識別情報および前記稼働時間を用いて、前記休止テーブルから前記所定の通信端末の休止時間およびキャリアセンス回数を特定し、特定された前記休止時間およびキャリアセンス回数が付与された応答情報を生成する情報生成部と、
前記受信部が前記送信要求を受信したときに、前記ユーザ通知情報が存在しない場合、前記応答情報を前記所定の無線通信端末に送信する送信部と、を備える、
ことを特徴とする中継装置。
【請求項１１】
前記受信部が前記送信要求を受信したときに、前記ユーザ通知情報が存在する場合、前記送信部は、前記ユーザ通知情報を前記所定の無線端末装置に送信する、
請求項１０記載の中継装置。
【請求項１２】
前記ユーザ通知情報には、送信対象となる前記無線通信端末の識別情報が含まれ、
前記中継装置は、さらに、
前記ユーザ通知情報を受信すると、前記要求情報に含まれる前記識別情報と前記ユーザ通知情報に含まれる識別情報とを比較し、両者が一致した場合に前記ユーザ通知情報を前記所定の端末に送信する識別情報比較部を備える、
請求項１１に記載の中継装置。
【請求項１３】
前記中継装置は、さらに、前記情報発信装置から新規の前記休止テーブルを受信して前記記憶部に記憶されている休止テーブルを更新するテーブル管理部を備える、
請求項１０乃至請求項１２のいずれか１項に記載の中継装置。
【請求項１４】
前記ユーザ通知情報には、当該ユーザ通知情報の重要度が付与されており、
前記送信部は、前記重要度を含むユーザ通知情報を前記所定の無線通信端末に送信する、
請求項１０乃至請求項１３のいずれか１項に記載の中継装置。
【請求項１５】
所定の情報発信装置から無線通信を介して送信されるユーザ通知情報を、中継装置が中継して所定の無線通信端末に送信する無線通信システムであって、
前記所定の情報発信装置は、
前記ユーザ通知情報を送信する第１の送信部を備え、
前記所定の無線通信端末は、
前記中継装置に、前記所定の無線通信端末の休止時間に関する情報およびキャリアセンス回数に関する情報を要求するための要求情報を送信する第２の送信部と、
前記ユーザ通知情報と、前記送信要求を前記中継装置が受信するに応じて前記中継装置から返信される応答情報であって、前記休止時間を示す情報および前記キャリアセンス回数を示す情報含む応答情報とを受信する受信部と、
前記受信部が前記応答情報を受信した場合に、前記応答情報に含まれる前記休止時間の間、前記自装置を休止状態にさせる休止状態調整部と、
前記休止状態の間の所定のタイミングで前記休止状態を中断することにより、前記休止状態中に前記キャリアセンス回数分のキャリアセンスを実行するキャリアセンス調整部と、
前記キャリアセンスを実行している間に前記受信部が前記ユーザ通知情報を受信した場合に、受信した前記ユーザ通知情報を通知する通知部と、を備え、
前記中継装置は、
各無線通信端末の識別情報および稼動時間に対応させて、各無線通信端末の休止時間およびキャリアセンス回数を記録した休止テーブルを記憶する記憶部と、
前記所定の無線通信端末から、前記要求情報を受信し、且つ、前記情報発信装置から前記所定の無線通信端末に通知するためのユーザ通知情報を受信する第２の受信部と、
前記要求情報に含まれる前記識別情報および前記稼働時間を用いて、前記休止テーブルから前記所定の無線通信端末の休止時間およびキャリアセンス回数を特定し、特定された前記休止時間およびキャリアセンス回数が付与された応答情報を生成する情報生成部と、
前記受信部が前記送信要求を受信したときに前記情報発信装置から受信した前記ユーザ通知情報が存在しない場合、前記ユーザ通知情報を前記所定の無線通信端末に送信する第３の送信部と、を備える
ことを特徴とする無線通信システム。
【請求項１６】
前記所定の情報発信装置は、さらに、
各無線通信端末の識別情報および稼動時間に対応させて、各無線通信端末の休止時間およびキャリアセンス回数を記録した休止テーブルを保持する保持部を備え、
前記第３の送信部は、さらに、前記休止テーブルを前記中継装置に送信する
請求項１５に記載の無線通信システム。
【手続補正２】
【補正対象書類名】明細書
【補正対象項目名】発明の名称
【補正方法】変更
【補正の内容】
【発明の名称】無線通信端末、中継装置、無線通信システム
【手続補正３】
【補正対象書類名】明細書
【補正対象項目名】０００９
【補正方法】変更
【補正の内容】
【０００９】
上記従来の課題を解決するために、本発明に係る無線通信端末は、所定の情報発信装置から無線通信を介して送信されるユーザ通知情報を中継する中継装置に、自装置の休止時間に関する情報およびキャリアセンス回数に関する情報を要求するための要求情報を送信する送信部と、前記ユーザ通知情報と、前記要求情報を前記中継装置が受信するに応じて前記中継装置から返信される応答情報であって、前記休止時間を示す情報および前記キャリアセンス回数を示す情報を含む応答情報とを受信する受信部と、前記受信部が前記応答情報を受信した場合に、前記応答情報に含まれる前記休止時間の間、自装置を休止状態にさせる休止状態調整部と、前記休止状態の間の所定のタイミングで前記休止状態を中断することにより、前記休止状態中に前記キャリアセンス回数分のキャリアセンスを実行するキャリアセンス調整部と、前記キャリアセンスを実行している間に前記受信部が前記ユーザ通知情報を受信した場合に、受信した前記ユーザ通知情報を通知する通知部と、を備えることを特徴とする無線通信端末である。